(57)【要約】【課題】  使用者がリモコン操作等で風向を制御する煩わしさや、使用者の存在しない空間への無駄な空調を抑制して、効率のよい空調を行い、イオンミスト等を使用者へ優先的に放出する空気調和機を提供することを課題とする。【解決手段】  本発明に係る空気調和機は、空調空間へ送風する送風ファンと、空調空間への送風方向を決定する風向板と、を有し、空調空間における検知範囲がそれぞれ異なるように設定された複数の人体検知センサを備え、人体検知センサにより検知された人体の位置に基づいて、風向板の位置を制御する。【選択図】図３
2010032103.tif 000002
【特許請求の範囲】
【請求項１】
空調空間へ送風する送風ファンと、前記空調空間への送風方向を決定する風向板と、を有する空気調和機において、
前記空調空間における検知範囲がそれぞれ異なるように設定された複数の人体検知センサを備え、
前記人体検知センサにより検知された人体の位置に基づいて、前記風向板の位置を制御することを特徴とする空気調和機。
【請求項２】
請求項１において、前記風向板を送風方向に向ける風向板駆動手段と、前記風向板駆動手段により前記風向板を任意の方向へ駆動させる風向板制御手段と、前記送風ファンの回転数を可変して風量を変化させる風量制御手段と、水に高電圧を印加して帯電した水分子からなるイオンミストを発生させる静電霧化装置と、を備え、
前記人体検知センサにより検知された人体の位置に対して送風することにより、前記イオンミストを前記人体検知センサにより検知された人体へ優先的に放出することを特徴とする空気調和機。
【請求項３】
請求項１において、前記風向板を送風方向に向ける風向板駆動手段と、前記風向板駆動手段により前記風向板を任意の方向へ駆動させる風向板制御手段と、前記送風ファンの回転数を可変して風量を変化させる風量制御手段と、コロナ放電によりマイナスイオンを発生するマイナスイオン発生装置と、を備え、
前記人体検知センサにより検知された人体の位置に対して送風することにより、前記マイナスイオンを前記人体検知センサにより検知された人体へ優先的に放出することを特徴とする空気調和機。
【請求項４】
請求項１において、前記風向板を送風方向に向ける風向板駆動手段と、前記風向板駆動手段により前記風向板を任意の方向へ駆動させる風向板制御手段と、前記送風ファンの回転数を可変して風量を変化させる風量制御手段と、加湿装置と、を備え、
前記人体検知センサにより検知された人体の位置に対して送風することにより、前記加湿装置から加湿された空気を前記人体検知センサにより検知された人体へ優先的に放出することを特徴とする空気調和機。
【請求項５】
請求項１乃至４の何れかにおいて、前記人体検知センサは、前記人体検知センサを実装する基板に対して、他の前記人体検知センサと異なる角度を有する台座を介して配置されることにより、前記検知範囲が他の前記人体検知センサと異なるように設定されることを特徴とする空気調和機。
【請求項６】
請求項１乃至５の何れかにおいて、前記人体検知センサの前記検知範囲の一部と、他の前記人体検知センサの前記検知範囲の一部とが重複する重複領域を有することを特徴とする空気調和機。
【請求項７】
請求項６において、前記人体検知センサはフレネルレンズを備え、前記人体検知センサ及び他の前記人体検知センサの検知範囲がそれぞれ検知領域と非検知領域とを有し、前記重複領域においては、前記人体検知センサにおける検知領域及び非検知領域と他の前記人体検知センサにおける検知領域及び非検知領域とがそれぞれ重なるように設定されることを特徴とする空気調和機。
【請求項８】
請求項１乃至７の何れかにおいて、前記人体検知センサは、他の前記人体検知センサと異なる俯角で配置されることにより、前記人体検知センサの前記検知範囲の遠近が他の前記人体検知センサの前記検知範囲の遠近と異なるように設定されることを特徴とする空気調和機。
【請求項９】
請求項１乃至８の何れかにおいて、前記風向板は複数方向に送風可能に構成され、前記人体検知センサにより検知された人体の位置に基づいて、前記風向板により前記複数の方向に吹き分けて送風することを特徴とする空気調和機。
【請求項１０】
請求項１乃至９の何れかにおいて、前記複数の人体検知センサの出力が切替装置により切り替えて順番に取得されることを特徴とする空気調和機。
【請求項１１】
請求項１０において、前記切替装置の後段に前記複数の人体検知センサからの出力を増幅する増幅器を備えることを特徴とする空気調和機。
【請求項１２】
請求項１０又は１１において、前記切替装置の後段に前記複数の人体検知センサの出力をデジタル信号に変換するコンパレータを備えることを特徴とする空気調和機。
【請求項１３】
請求項１乃至１２の何れかにおいて、前記人体検知センサは焦電型赤外線センサであり、人体の活動による赤外線の変化量を検知し、前記赤外線の変化量に応じた信号の振幅，波長，周波数から、前記検知範囲に存在する人体の活動状態を推定することを特徴とする空気調和機。
【請求項１４】
請求項１乃至１３の何れかにおいて、前記人体検知センサは焦電型赤外線センサであり、人体の活動による赤外線の変化量を検知し、赤外線の変化量に応じた信号をコンパレータによりデジタル信号へ変換して、パルス幅，周波数から、前記検知範囲に存在する人体の活動状態を推定することを特徴とする空気調和機。
【請求項１５】
請求項１乃至１４において、前記人体検知センサからの信号が予め設定した出力値又は任意時間あたりの出力回数の範囲外となった前記検知範囲を優先して空調することを特徴とする空気調和機。
【請求項１６】
請求項１５において、前記焦電型赤外線センサの出力が途切れた場合、最後に出力が検知された前記検知範囲において人体が静止していると推定することを特徴とする空気調和機。
【発明の詳細な説明】
【技術分野】
【０００１】
本発明は、空調空間に存在する人体の位置を検知する人体検知センサを備えた空気調和機に関する。
【背景技術】
【０００２】
従来の静電霧化発生機能等を備えた空気調和機では、空調空間内を空調する際に、予め設定されたプログラムに従い送風方向を決めるか、使用者がリモコン等により手動で送風方向を決めなければならなかった。予め設定されたプログラムに従い送風方向が決められた場合には無駄に空調を行うエリアができてしまったり、使用者がリモコン等により手動で送風方向を決める場合には使用者の手を煩わせてしまうといった問題が生じ、効率の良い空調を行うことができなかった。特許文献１によれば、送風方向を変えることができる上下風向板及び左右風向板と、送風経路に配置された静電霧化装置とにより、イオンミストを多方向へ放出することができる。しかしながら、イオンミストは、使用者が手動で決めるか、予め設定された制御手段により決められた送風方向（風向板方向）に放出せざるを得ない。
【０００３】
【特許文献１】特開２００７−２６３５５１号公報
【発明の開示】
【発明が解決しようとする課題】
【０００４】
使用者がリモコン操作等で風向を制御する煩わしさや、使用者の存在しない空間への無駄な空調を抑制して、効率のよい空調を行い、イオンミスト等を使用者へ優先的に放出する空気調和機を提供することを目的とする。
【課題を解決するための手段】
【０００５】
本発明に係る空気調和機は、空調空間へ送風する送風ファンと、空調空間への送風方向を決定する風向板と、を有し、空調空間における検知範囲がそれぞれ異なるように設定された複数の人体検知センサを備え、人体検知センサにより検知された人体の位置に基づいて、風向板の位置を制御する。
【発明の効果】
【０００６】
使用者がリモコン操作等で風向を制御する煩わしさや、使用者の存在しない空間への無駄な空調を抑制して、効率のよい空調を行い、イオンミスト等を使用者へ優先的に放出する空気調和機を提供することができる。
【発明を実施するための最良の形態】
【０００７】
以下図面を用いて本発明における実施例について説明する。
【実施例１】
【０００８】
本発明における空気調和機の第１の実施例を図１−図１０を用いて説明する。本実施例は、空気調和機の一例として静電霧化機能付空気調和機において、特に、空調空間における検知エリア（範囲）がそれぞれ異なるように設定された複数の人体検知センサを備え、人体検知センサにより検知された人体の位置に基づいて、風向板の位置を制御するものである。本実施例においては、空気調和機の一例として、静電霧化機能付空気調和機１を用いる。
【０００９】
以下に、本発明に係る実施例を図面を用いて説明する。まず、図１を用いて、静電霧化機能付空気調和機１について説明する。静電霧化機能付空気調和機１は、送風ファン２により空調空間へ送風を行うものであって、上下風向板３及び左右風向板４により送風方向が制限される。上下風向板３及び左右風向板４を任意の角度に調整するための上下風向板駆動手段５，左右風向板駆動手段６，上下風向板制御手段７、及び左右風向板制御手段８により、空調空間の任意の方向に送風することができる。
【００１０】
尚、本実施例においては、風向板は複数方向に送風可能に構成され、人体検知センサにより検知された人体の位置に基づいて、風向板により複数の方向に吹き分けて送風することができる。これにより、人体を検知したエリアが複数ある場合には、風向板によって複数の検知エリアへ吹き分けを行うことができるので、各々の人体へ同時に優先的に空調を行うことが可能となる。
【００１１】
静電霧化機能付空気調和機１は、水に高電圧を印加することにより、帯電した水分子からなるイオンミスト１０を発生する静電霧化装置９を備える。静電霧化装置９により発生したイオンミスト１０を静電霧化機能付空気調和機１の送風径路に供給することにより、送風に合わせてイオンミスト１０を空調空間へ放出することができる。
【００１２】
図２は人体検知センサの実装形態を示す図である。図４に示す人体検知センサの実装形態では、一例として、人体検知センサを３個実装している。第一の人体検知センサ１７と、第二の人体検知センサ１８と、第三の人体検知センサ１９と、各人体検知センサの台座２０とが基板２１に実装される。
【００１３】
ここで、人体検知センサは台座２０により、検知する方向が異なるため、より広角に検知エリアを構成することができる。つまり、例えば第一の人体検知センサ１７は、人体検知センサを実装する基板に対して、他の人体検知センサ（第二の人体検知センサ１８，第三の人体検知センサ１９）と異なる角度を有する台座を介して配置されることにより、第一の人体検知センサ１７の検知エリアが他の人体検知センサ（第二の人体検知センサ１８，第三の人体検知センサ１９）の検知エリアと異なるように設定される。このように、所定の角度を有する台座を介して実装することにより、検知エリアを個別に異なった方向に向けることができるため、第一の人体検知センサ１７，第二の人体検知センサ１８、及び第三の人体検知センサ１９による検知エリアをより広範囲にすることができる。
【００１４】
さらに各人体検知センサ（第一の人体検知センサ１７，第二の人体検知センサ１８，第三の人体検知センサ１９）の俯角を異なった角度で備えることにより、手前側を焦点とした検知エリア、奥側を焦点とした検知エリアを構成できるため、人体までの距離を検知することができる。つまり、例えば、第一の人体検知センサ１７は、他の人体検知センサ（第二の人体検知センサ１８，第三の人体検知センサ１９）と異なる俯角で配置されることにより、第一の人体検知センサ１７の検知エリアの遠近が他の人体検知センサ（第二の人体検知センサ１８，第三の人体検知センサ１９）の検知エリアの遠近と異なるように設定される。これにより、ある人体検知センサを鉛直方向に大きく傾けて近距離を検知し、他の人体検知センサを鉛直方向に小さく傾けて遠距離を検知することにより、人体までの距離を検知することが可能となる。
【００１５】
図３は検知エリアの構成例を示す図である。図３に示す検知エリアの構成図は、空調空間を上方から見た図であり、第一の人体検知センサ１７が検知する第一検知エリア２２，第二の人体検知センサ１８が検知する第二検知エリア２３，第一検知エリア２２と第二検知エリア２３とが重複する第三検知エリア２４から構成される。第一の人体検知センサ１７のみが検知した場合では、第一検知エリア２２に人体が存在すると推定する。第二の人体検知センサ１８のみが検知した場合では、第二検知エリア２３に人体が存在すると推定する。第一の人体検知センサ１７と第二の人体検知センサ１８の両方が検知した場合では、第三検知エリア２４に人体が存在すると推定する。
【００１６】
このように、例えば、第一の人体検知センサ１７の検知範囲一部を、第二の人体検知センサ１８の一部と重複させることにより、第一の人体検知センサ１７のみが検知している第一の検知エリア２２，第二の人体検知センサ１８のみが検知している第二の検知エリア２３、及び第一の人体検知センサ１７と第二の人体検知センサ１８の両方が検知している第三の検知エリア２４の計３つのエリアを、第一の人体検知センサ１７及び第二の人体検知センサ１８の２つの人体検知センサで計測することができる。つまり、センサの個数より多くの検知エリアを設定することができるため、より細かなセンシング、またはセンサの個数を少なくすることができる。
【００１７】
図４は検知エリアの構成例を示す図である。図４に示す検知エリアの構成例は、第一の人体検知センサ１７及び第二の人体検知センサ１８における赤外線検知領域２５と非赤外線検知領域２６とからなる検知エリアを示している。赤外線検知領域２５と非赤外線検知領域２６とを構成するために、人体検知センサはフレネルレンズ２７を備える。人体検知センサがフレネルレンズ２７を備えることにより、各検知エリア内での人体の活動によって、人体が赤外線検知領域２５と非赤外線検知領域２６に入出を繰り返すため、赤外線量を変化でき、各検知エリア内での人体の存在を検知することができる。
【００１８】
しかし、単に人体検知センサを配置するだけでは、以下の誤検知が生じるおそれがある。つまり、第一検知エリア２２と第二検知エリア２３の両方に人体が存在する場合、第一の人体検知センサ１７と第二の人体検知センサ１８の両方が人体を検知してしまうため、第三検知エリア２４にいる場合と区別することができない。そこで、この問題を解決するために、図４に示すように、第一検知エリア２２内の赤外線検知領域２５及び非赤外線検知領域２６と、第二検知エリア２３内の赤外線検知領域２５及び非赤外線検知領域２６とがそれぞれ重複するように、第一の人体検知センサ１７及び第二の人体検知センサ１８を設定する。
【００１９】
このように第一の人体検知センサ１７及び第二の人体検知センサ１８を設定することにより、重複エリアである第三検知エリア２４内で人体が活動した際には、同時に赤外線検知領域２５に入出するため、第一の人体検知センサ１７と第二の人体検知センサ１８の両方から出力が得られ、その出力はほぼ同時となる。一方、第一の人体検知センサ１７のみが検知している第一検知エリア２２，第二の人体検知センサ１８のみが検知している第二検知エリア２３の両エリアに人体が存在し、それぞれの人体が赤外線検知領域２５に同時に入出した場合は、第一の人体検知センサ１７と第二の人体検知センサ１８の出力はほぼ同時となるが、通常は、各人体の活動のタイミングが異なるため、出力が同時になることはほとんどない。従って、重複エリアを構成している各人体検知センサの出力の時間差から、例えば、任意に決めた時間差ｔ以内である割合が任意の割合以上あれば第三検知エリア２４に存在する、任意の割合未満であれば第一検知エリア２２，第二検知エリア２３の両方にそれぞれ人体が存在すると判断でき、重複エリアに存在する場合と、非重複エリアにそれぞれ人体が存在する場合とを識別することが可能となる。
【００２０】
つまり、本実施例においては、人体検知センサがフレネルレンズを備え、人体検知センサ及び他の人体検知センサの検知範囲がそれぞれ検知領域と非検知領域とを有し、重複領域において、人体検知センサにおける検知領域及び非検知領域と他の人体検知センサにおける検知領域及び非検知領域とをそれぞれ重なるように設定する。これにより、上述したように、重複エリアに存在する場合と、非重複エリアにそれぞれ人体が存在する場合とを識別することが可能となる。
【００２１】
図５は検知エリアの構成例を示す図である。図５に示す検知エリアの構成図は、空調空間を側面から見た図であり、第一の人体検知センサ１７が検知する第一検知エリア２２と、第一の人体検知センサ１７の取り付け角度（俯角）と異なった角度で取り付けた第三の人体検知センサ１９が検知する第四検知エリア２８とを示している。例えば第一の人体検知センサ１７の取り付け角度を水平方向側に傾けることにより、第一検知エリア２２を奥側とすることができる。また、第三の人体検知センサ１９の取り付け角度を第一の人体検知センサ１７より鉛直方向へ傾けることにより、第四検知エリア２８を手前側とすることができる。従って、第一の人体検知センサ１７が検知した場合は人体が遠くに存在すると判断し、第三の人体検知センサ１９が検知した場合は人体が近くに存在すると判断することができる。
【００２２】
つまり、本実施例における空気調和機においては、上述したように、第一の人体検知センサ１７が、他の人体検知センサ（例えば、第三の人体検知センサ１９）と異なる俯角で配置されるので、第一の人体検知センサ１７の検知エリアの遠近が他の人体検知センサ（第三の人体検知センサ１９）の検知エリアの遠近と異なるように設定される。これにより、ある人体検知センサを鉛直方向に大きく傾けて近距離を検知し、他の人体検知センサを鉛直方向に小さく傾けて遠距離を検知することにより、人体までの距離を検知することが可能となる。
【００２３】
図８は従来の人体検知センサの構成例を示す図である。人体検知センサは、焦電型赤外線センサ２９，焦電型赤外線センサ２９の出力を増幅する増幅器３０，出力をデジタル信号へと変換するコンパレータ３１，出力を読み込み演算処理を行うマイコン３２から構成される。この構成によれば、焦電型赤外線センサ２９を複数個備えているので、同数の増幅器３０，コンパレータ３１，マイコン３２の読み込みポートが必要となる。
【００２４】
一方、図９は本実施例における人体検知センサの構成例を示す図である。人体検知センサは、切替装置３３を有し、増幅器３０、及びコンパレータ３１を、切替装置３３の後段に備える。切替装置３３により出力を一系統に集約することにより、増幅器３０，コンパレータ３１，マイコン３２の読み込みポートを少なくすることが可能となり、部品点数の削減，回路規模の縮小を行うことができる。
【００２５】
このように人体検知センサを構成すれば、焦電型赤外線センサ２９からの環境や人体の存在，人体の活動に伴ったアナログ信号が、切替装置３３により、出力を一系統にして順に出力される。そして、増幅器３０にて増幅され、コンパレータ３１により微小な信号やノイズが除去され、デジタル信号に変換される。その後、マイコン３２の読み込みポートに入力され、マイコン３２で演算処理される。その結果、人体が存在すると判断したエリアに対し、上下風向板３，左右風向板４が向けられ、送風ファン２によって、イオンミスト１０が使用者の方へ放出される。
【００２６】
つまり、本実施例に係る空気調和機においては、人体検知センサの出力を切替装置により切り替えて順番に取得する。これにより、出力を読み込み演算するためのマイコンの入力ポートを少なくすることが可能となる。また、切替装置の後段に人体検知センサからの出力を増幅する増幅器を備える。これにより、すべての出力を一個の増幅器で増幅することが可能となるため、基板面積を縮小でき、また作成も安価となる。さらに、切替装置の後段に人体検知センサの出力をデジタル信号に変換するコンパレータを備える。これにより、すべての出力を一個のコンパレータでデジタル信号に変換することが可能となるため、基板面積を縮小でき、また作成も安価となる。
【００２７】
図１０は人体検知の制御例を示す図である。図１０における人体検知出力信号は、マイコン３２に入力される信号であり、環境や人体の存在，人体の活動に伴ったデジタル信号である。例えば、第一の人体検知センサ１７からの出力があり、第二の人体検知センサ１８からの出力がなければ、第一検知エリア２２に人体が存在すると判断する。次に、第一の人体検知センサ１７からの出力があり、第二の人体検知センサ１８からの出力があれば、第三検知エリア２４に人体が移動したと判断する。さらに、第一の人体検知センサ１７からの出力がなく、第二の人体検知センサ１８からの出力があれば、第二検知エリア２３に人体が移動したと判断する。ある単位時間において数回のみ検知され、次に隣の検知エリアでまた数回検知されるような場合において、人体が一時的に通過したと推定する。
【００２８】
また、図１１は人体検知の制御例を示す図である。図１１では、例えば、第一の人体検知センサ１７からの出力があり、第二の人体検知センサ１８からの出力がなければ、第一検知エリア２２に人体が存在すると判断する。次に、第一の人体検知センサ１７からの出力があり、第二の人体検知センサ１８からの出力がないことが継続している場合は、人体が第一検知エリア２２に存在し続けていると判断する。さらに、サンプリング毎に第一の人体検知センサ１７からの出力があれば、人体が激しく活動していると判断する。
【００２９】
また、図１１は人体検知の制御例を示す図である。図１２では、例えば、第一の人体検知センサ１７からの出力があり、第二の人体検知センサ１８からの出力がなければ、第一検知エリア２２に人体が存在すると判断する。次に、第一の人体検知センサ１７からの出力があり、第二の人体検知センサ１８からの出力があれば、第三検知エリア２４に人体が移動したと判断する。さらに、第一の人体検知センサ１７からの出力がなく、第二の人体検知センサ１８からの出力がなければ、人体は第一検知エリア２２にも第二検知エリア２３にも移動していないと判断して、人体は第三検知エリア２４に存在すると判断する。また、その後も第一の人体検知センサ１７からの出力がなく、第二の人体検知センサ１８からの出力がなければ、人体は第三検知エリア２４にて静止中であると判断する。
【００３０】
本実施例においては、人体検知センサに焦電型赤外線センサを用い、人体の活動による赤外線の変化量を検知し、赤外線の変化量に応じた信号の振幅，波長，周波数から、検知範囲に存在する前記人体の活動状態を推定することができる。人体検知センサに焦電型赤外線センサを用い、人体の活動による赤外線の変化量を検知し、その変化量によって人体が存在していると判断し、さらに赤外線の変化量から得られる出力波形の振幅，波長，周波数から、人体の動作の速さや大きさといった活動状態を推定するので、活動状態に合わせた空調を行うことにより、使用者に対しより適切な空調状態を提供することが可能となる。
【００３１】
また、本実施例においては、人体検知センサに焦電型赤外線センサを用い、人体の活動による赤外線の変化量を検知し、赤外線の変化量に応じた信号をコンパレータによりデジタル信号へ変換して、パルス幅，周波数から、検知範囲に存在する人体の活動状態を推定することができる。人体検知センサに焦電型赤外線センサを用い、人体が活動することによる赤外線の変化量を検知し、その変化量によって体が存在していると判断し、さらに赤外線の変化量から出力される信号をコンパレータによりデジタル信号へ変換し、パルス幅，周波数から、人体の動作の速さや大きさといった活動状態を推定するので、活動状態に合わせた空調を行うことにより、使用者に対しより適切な空調状態を提供することができる。
【００３２】
さらに、本実施例によれば、人体検知センサからの信号が、予め設定した出力値又は任意時間あたりの出力回数の範囲外となった検知エリアを優先して空調する。各検知エリアにおいて出力があったエリアに人体が存在すると判断し、予め設定した出力の大きさ／任意時間あたりの出力検知回数の閾値と、人体検知センサからの出力信号を比較演算し、出力を検知し続けていれば人体が存在したままである／出力が検知できなくなった場合は検知エリアを一時的に通り過ぎただけである等を判断して、人体及び人体の存在するエリアの検知精度をより高めることができる。
【００３３】
また、本実施例によれば、焦電型赤外線センサの出力が途切れた場合、最後に出力が検知された検知範囲にて人体が静止していると推定する。焦電型赤外線センサは性能上、素子表面に受光される赤外線量に変化がない場合、出力が一定となる。つまり、静止状態である人体の検知においては、受光される赤外線量に変化がないため、出力が生じず、人体及び人体が存在するエリアであるかの判断ができないが、複数のセンサを備えることにより、最後に検知されたエリアから移動がないということが分かるため、そのエリアにて静止状態であると判断することが可能となる。
【００３４】
以上、本実施例によれば、空気調和機の一例として静電霧化機能付空気調和機において、特に、空調空間における検知エリアがそれぞれ異なるように設定された複数の人体検知センサを備え、人体検知センサにより検知された人体の位置に基づいて、風向板の位置を制御するので、使用者がリモコン操作等で風向を制御する煩わしさや、使用者の存在しない空間への無駄な空調を抑制して、効率のよい空調を行い、イオンミストを使用者へ優先的に放出する空気調和機を提供することができる。
【００３５】
これにより、例えば、使用者の付近を漂うウィルスにイオンミストを放出することで、除菌し、感染を抑制することができる。また、喫煙している使用者を検知することで、煙に含まれる臭い成分がカーテン等の布に付着する前に脱臭することができる等の効果を発揮することができる。さらに、空調空間内の人体位置を検知することにより、イオンミスト等の空気を使用者の周辺に優先的に送ることができるため、使用者に対し、除菌効果やリラクゼーション効果を提供することができる。
【００３６】
尚、本実施例においては、人体検知センサにより人体の位置を検知し、検知された人体に対して優先的に送風するようにしたが、使用者が直接送風を受けたくないような場合には、検知された人体を避けるように送風することもできる。
【００３７】
また、本実施例においては複数の人体検知センサを備える空気調和機を前提としているが、本実施例における複数の人体検知センサを備える空気調和機は、人体検知センサを複数備える場合のみならず、複数の素子を有する一つの人体センサをセンサをも含むものとする。複数の素子を有する一つの人体センサを備えた空気調和機であっても、本実施例と同様の効果を奏することができる。
【実施例２】
【００３８】
本発明における空気調和機の第２の実施例を図１１を用いて説明する。本実施例は、空気調和機として、マイナスイオン発生機能付空気調和機を適用する。その他の構成ついては第１の実施例と同様であるので詳細な説明は省略する。
【００３９】
図１１はマイナスイオン発生機能付空気調和機を示す図である。図１１に示すマイナスイオン発生機能付空気調和機１１の基本的構成は、図１に示した静電霧化機能付空気調和機１と同様であり、上下風向板３，左右風向板４，上下風向板駆動手段５，左右風向板駆動手段６，上下風向板制御手段７，左右風向板制御手段８により、空調空間の任意の方向に送風することができる。また、マイナスイオン発生機能付空気調和機１１は、コロナ放電によりマイナスイオン１２を発生するマイナスイオン発生装置１３を備えている。マイナスイオン発生装置１３により発生したマイナスイオン１２をマイナスイオン発生機能付空気調和機１１の送風径路に供給することにより、送風に合わせてマイナスイオン１２を空調空間へ放出することができる。
【００４０】
本実施例によれば、第１の実施例と同様に、マイナスイオン発生機能付空気調和機において、空調空間における検知エリアがそれぞれ異なるように設定された複数の人体検知センサを備え、人体検知センサにより検知された人体の位置に基づいて、風向板の位置を制御するので、使用者がリモコン操作等で風向を制御する煩わしさや、使用者の存在しない空間への無駄な空調を抑制して、効率のよい空調を行い、マイナスイオンを使用者へ優先的に放出する空気調和機を提供することができる。
【実施例３】
【００４１】
本発明における空気調和機の第３の実施例を図１２を用いて説明する。本実施例は、空気調和機として、加湿機能付空気調和機を適用する。その他の構成ついては第１の実施例と同様であるので詳細な説明は省略する。
【００４２】
図１２は加湿機能付空気調和機を示す図である。図１２に示す加湿機能付空気調和機１４の基本的構成は、図１に示した静電霧化機能付空気調和機１と同様であり、上下風向板３，左右風向板４，上下風向板駆動手段５，左右風向板駆動手段６，上下風向板制御手段７，左右風向板制御手段８により、空調空間の任意の方向に送風することができる。また、加湿機能付空気調和機１４は、加湿された空気１５を発生する加湿装置１６を備えており、加湿装置１６により発生した加湿された空気１５を加湿機能付空気調和機１４の送風径路に供給することにより、送風に合わせて加湿された空気１５を空調空間へ放出することができる。
【００４３】
本実施例によれば、第１の実施例と同様に、加湿機能付空気調和機において、空調空間における検知エリアがそれぞれ異なるように設定された複数の人体検知センサを備え、人体検知センサにより検知された人体の位置に基づいて、風向板の位置を制御するので、使用者がリモコン操作等で風向を制御する煩わしさや、使用者の存在しない空間への無駄な空調を抑制して、効率のよい空調を行い、加湿された空気を使用者へ優先的に放出する空気調和機を提供することができる。
【図面の簡単な説明】
【００４４】
【図１】静電霧化機能付空気調和機を示す図。
【図２】人体検知センサの実装形態を示す図。
【図３】検知エリアの構成例を示す図。
【図４】検知エリアの構成例を示す図。
【図５】検知エリアの構成例を示す図。
【図６】従来の人体検知センサ構成例を示す図。
【図７】人体検知センサ構成例を示す図。
【図８】人体検知の制御例を示す図。
【図９】人体検知の制御例を示す図。
【図１０】人体検知の制御例を示す図。
【図１１】マイナスイオン発生機能付空気調和機を示す図。
【図１２】加湿機能付空気調和機を示す図。
【符号の説明】
【００４５】
１  静電霧化機能付空気調和機
２  送風ファン
３  上下風向板
４  左右風向板
５  上下風向板駆動手段
６  左右風向板駆動手段
７  上下風向板制御手段
８  左右風向板制御手段
９  静電霧化装置
１０  イオンミスト
１１  マイナスイオン発生機能付空気調和機
１２  マイナスイオン
１３  マイナスイオン発生装置
１４  加湿機能付空気調和機
１５  加湿された空気
１６  加湿装置
１７  第一の人体検知センサ
１８  第二の人体検知センサ
１９  第三の人体検知センサ
２０  台座
２１  基板
２２  第一検知エリア
２３  第二検知エリア
２４  第三検知エリア
２５  赤外線検知領域
２６  非赤外線検知領域
２７  フレネルレンズ
２８  第四検知エリア
２９  焦電型赤外線センサ
３０  増幅器
３１  コンパレータ
３２  マイコン
３３  切替装置
【図１】
2010032103.tif 000003
【図２】
2010032103.tif 000004
【図３】
2010032103.tif 000005
【図４】
2010032103.tif 000006
【図５】
2010032103.tif 000007
【図６】
2010032103.tif 000008
【図７】
2010032103.tif 000009
【図８】
2010032103.tif 000010
【図９】
2010032103.tif 000011
【図１０】
2010032103.tif 000012
【図１１】
2010032103.tif 000013
【図１２】
2010032103.tif 000014